(57)【要約】【課題】  ノイズの混入による悪影響を抑制しつつ、携帯情報端末内の主制御装置及び画面表示装置間における制御データの伝送線の数を削減することを目的とする。【解決手段】  主制御装置４０で生成され、シリアル変換された制御データＤＴｐを低電圧差動信号として伝送路４２を介して画面表示装置４１へ伝送し、制御データのストローブ信号ＳＴＢも同様にして画面表示装置４１へ伝送している。また、フレーム周期ごとに非伝送期間に送受信バッファ５２，５３，６０，６１への電源供給を遮断して消費電力を抑制するとともに、画面表示装置４１において、バッファイネーブル信号ＢＥＮを遅延させてストローブ信号ＳＴＢをマスクしている。【選択図】  図４
2005354456.tif 000002
【特許請求の範囲】
【請求項１】
表示制御のための制御データ、上記制御データのストローブ信号、及び、上記制御データの伝送期間を示す伝送イネーブル信号を生成する表示制御手段と、
上記制御データをシリアルデータに変換するシリアル変換手段と、
上記伝送イネーブル信号により起動され、一対の信号線からなる第１伝送路を介して、上記シリアルデータを低電圧差動信号として送受信するデータ送受信手段と、
上記伝送イネーブル信号により起動され、一対の信号線からなる第２伝送路を介して、上記ストローブ信号を低電圧差動信号として送受信するストローブ送受信手段と、
上記伝送イネーブル信号を遅延させるイネーブル信号遅延手段と、
遅延させた伝送イネーブル信号に基づいて、第２伝送路を介して受信されたストローブ信号をマスクするストローブ信号マスク手段と、
第１伝送路を介して受信した制御データをマスク後のストローブ信号に基づいて取り込み、パラレルデータに変換するパラレル変換手段と、
パラレル変換後の制御データに基づいて画面表示を行う画面表示手段とを備えたことを特徴とする携帯情報端末。
【請求項２】
上記伝送イネーブル信号に基づいて、データ送受信手段及びストローブ送受信手段への電源供給を制御する電源制御手段を備え、
制御データの非伝送期間中、上記データ送受信手段及びストローブ送受信手段への電源供給を遮断することを特徴とする請求項１に記載の携帯情報端末。
【請求項３】
上記伝送イネーブル信号が、データ送受信手段を構成する受信バッファを活性化させるバッファイネーブル信号であることを特徴とする請求項１に記載の携帯情報端末。
【請求項４】
上記表示制御手段は、画面表示装置のフレーム周期ごとに伝送イネーブル信号を非イネーブル状態に変化させることを特徴とする請求項１、２又は３に記載の携帯情報端末。
【請求項５】
上記表示制御手段が内蔵された第１筐体と、
上記画面表示手段が内蔵された第２筐体と、
第１筐体及び第２筐体を折り畳み可能に可動連結し、その内部に上記第１伝送路及び第２伝送路を収納する可動連結部とを備えたことを特徴とする請求項１に記載の携帯情報端末。
【請求項６】
上記可動連結部が、上記第１筐体及び第２筐体を直交する２軸について回転可能に連結することを特徴とする請求項５に記載の携帯情報端末。
【発明の詳細な説明】
【技術分野】
【０００１】
本発明は、携帯情報端末に係り、更に詳しくは、携帯電話機、ＰＨＳ、ＰＤＡ、ノートパソコンなどの画面表示装置を備えた携帯情報端末内における表示制御のためのデータ伝送方法の改良に関する。
【背景技術】
【０００２】
携帯電話機には、操作キーが設けられた操作筐体と、表示画面が設けられた表示筐体とを可動連結部によって折り畳み可能に連結して構成されるものがあり、一般に、クラムシェル型と呼ばれている。携帯電話機の筐体を折り畳み可能にすれば、携帯性を損ねることなく、表示画面を大型化させることができる。このため、最近の携帯電話機は、そのほとんどがクラムシェル型の筐体を採用している。
【０００３】
クラムシェル型の操作筐体及び表示筐体は、ともに薄型の筐体からなり、表示筐体には液晶表示装置が内蔵されているため、主制御装置を構成するマイクロプロセッサは、操作筐体に内蔵されている。つまり、液晶表示画面が表示筐体に収納され、その表示制御を行っている主制御装置は操作筐体に収納されている。このため、操作筐体及び表示筐体はフレキシブル基板を用いて電気的に接続され、両筐体間で画面表示のための制御データが伝送されている。
【特許文献１】特開平３−３５３８６号公報
【特許文献２】特開平４−１１７０２４号公報
【特許文献３】特開平９−２２２９３８号公報
【発明の開示】
【発明が解決しようとする課題】
【０００４】
上記フレキシブル基板は、可動連結部の内部を通過させるように配置せざるを得ず、この様な構成により、筐体の動作時にフレキシブル基板が損傷を受け、あるいは、フレキシブル基板により筐体の動作範囲が制限されることが考えられる。この様な問題を回避するため、従来の携帯電話機では、可動連結部の構成が複雑になり、また、組み立て作業も容易ではなかった。更に、開閉動作よりも複雑な動作を行うことができる携帯電話機、例えば、互いに直交する開閉軸及び回転軸からなる２軸ヒンジを備え、両筐体の開閉動作及び回転動作を可能にした携帯電話機においては、より大きな問題となる。
【０００５】
このような問題は、フレキシブル基板の幅を狭くすることによって軽減できると考えられる。しかしながら、従来の携帯電話機では、主制御部から液晶表示装置へ、フレーム周期で制御データを伝送する必要があり、８ビット幅（又は１６ビット幅）のデータや制御信号をパラレル伝送することにより高速伝送を実現しているため、フレキシブル基板の幅を狭小化するには限界があった。
【０００６】
この様な課題を解決する方法として、主制御部及び液晶表示装置間においてシリアル伝送を行うことが考えられる。しかしながら、シリアル伝送を採用して、パラレル伝送の場合と同じ伝送レートを実現するには、ビット幅倍のビットレートで伝送を行わなければならない。このため、信号レベルを低電圧化する必要があり、ノイズによる影響を受けやすくなると考えられる。
【０００７】
このようなノイズによる影響を抑制し、主制御部及び液晶表示装置間の配線数を低減することができれば、小型化及び軽量化の観点から、クラムシェル型の携帯電話機に限らず有利になると考えられる。
【０００８】
本発明は、上記の事情に鑑みてなされたものであり、携帯情報端末内における表示制御手段及び画面表示手段間における制御データの伝送線の数を削減することを目的とする。特に、ノイズの混入による悪影響を抑制しつつ、表示制御手段及び液晶表示手段間の伝送線の数を削減することを目的とする。
【０００９】
また、本発明は、携帯情報端末を小型化及び軽量化し、あるいは、複雑な筐体動作を容易に実現可能にすることを目的とする。
【００１０】
さらに、本発明は、非伝送期間における制御データの伝送線へのノイズ混入による誤動作を防止することを目的とする。また、非伝送期間における送受信手段の消費電力を低減することを目的とする。
【課題を解決するための手段】
【００１１】
第１の本発明による携帯情報端末は、表示制御のための制御データ、上記制御データのストローブ信号、及び、上記制御データの伝送期間を示す伝送イネーブル信号を生成する表示制御手段と、上記制御データをシリアルデータに変換するシリアル変換手段と、上記伝送イネーブル信号により起動され、一対の信号線からなる第１伝送路を介して、上記シリアルデータを低電圧差動信号として送受信するデータ送受信手段と、上記伝送イネーブル信号により起動され、一対の信号線からなる第２伝送路を介して、上記ストローブ信号を低電圧差動信号として送受信するストローブ送受信手段と、上記伝送イネーブル信号を遅延させるイネーブル信号遅延手段と、遅延させた伝送イネーブル信号に基づいて、第２伝送路を介して受信されたストローブ信号をマスクするストローブ信号マスク手段と、第１伝送路を介して受信した制御データをマスク後のストローブ信号に基づいて取り込み、パラレルデータに変換するパラレル変換手段と、パラレル変換後の制御データに基づいて画面表示を行う画面表示手段とを備えて構成される。
【００１２】
表示制御手段により生成された制御データは、シリアルデータに変換され、低電圧差動信号として第１伝送路を介して伝送される。また、表示制御手段により生成されたストローブ信号も、低電圧差動信号として第２伝送路を介して伝送される。つまり、低電圧化によって伝送レートの高速化を図るとともに、差動信号化によって耐ノイズ特性を向上させることにより、制御データをシリアルデータとして伝送可能にし、伝送線の数を削減することができる。また、非伝送期間中、ストローブ信号をマスクすることによって、ノイズ混入による誤動作を抑制することができる。さらに、伝送イネーブル信号を遅延させてストローブ信号をマスクすることによって、伝送イネーブル信号のアクティブ化により発生するノイズによる誤動作を防止することができる。
【００１３】
第２の本発明による携帯情報端末は、上記構成に加えて、伝送イネーブル信号に基づいて、データ送受信手段及びストローブ送受信手段への電源供給を制御する電源制御手段を備え、制御データの非伝送期間中、上記データ送受信手段及びストローブ送受信手段への電源供給を遮断するように構成される。この様な構成により、非伝送期間中における送受信手段による消費電力を抑制することができる。
【００１４】
第３の本発明による携帯情報端末は、上記構成に加えて、伝送イネーブル信号が、データ送受信手段を構成する受信バッファを活性化させるバッファイネーブル信号からなる。
【００１５】
第４の本発明による携帯情報端末は、上記構成に加えて、表示制御手段が、画面表示装置のフレーム周期ごとに伝送イネーブル信号を非イネーブル状態に変化させるように構成される。
【００１６】
第５の本発明による携帯情報端末は、上記構成に加えて、上記表示制御手段が内蔵された第１筐体と、上記画面表示手段が内蔵された第２筐体と、第１筐体及び第２筐体を折り畳み可能に可動連結し、その内部に上記第１伝送路及び第２伝送路を収納する可動連結部とを備えて構成される。
【００１７】
第６の本発明による携帯情報端末は、上記構成に加えて、上記可動連結部が、上記第１筐体及び第２筐体を直交する２軸について回転可能に連結するように構成される。
【発明の効果】
【００１８】
本発明によれば、携帯情報端末内において表示制御手段から画面表示手段へ伝送される制御データを低電圧差動信号として伝送している。このため、伝送レート及び耐ノイズ特性を著しく低下させることなく、伝送線の数を削減し、携帯情報端末を小型化及び軽量化することができる。このため、可動連結部に伝送線を配置しつつ、複雑な筐体動作を実現することも容易となる。
【００１９】
また、制御データの非伝送期間中は、受信側においてストローブ信号をマスクしているため、非伝送期間中におけるノイズ混入による誤動作を抑制することができる。また、非伝送期間における送受信手段における消費電力を抑制するとともに、送受信手段の起動時におけるノイズによって誤動作するのを防止することができる。
【発明を実施するための最良の形態】
【００２０】
図１は、本発明による携帯情報端末の一構成例を示した外観図であり、携帯情報端末の一例として携帯電話機が示されている。この携帯電話機は、ともに概ね矩形の薄型筐体からなる表示筐体１０及び操作筐体２０を可動連結部３０により連結して構成される。
【００２１】
表示筐体１０の一方の主面上には、メインディスプレイとしての表示画面１１と、レシーバー１２，１３とが設けられ、他方の主面上には、メインディスプレイよりも小さな表示画面（不図示）がサブディスプレイとして設けられている。また、操作筐体２０の一方の主面上には、多数の操作キー２１が設けられ、他方の主面上には、デジタルカメラとしての撮像素子（不図示）が設けられている。
【００２２】
可動連結部３０は、直交する２つの回転軸３１及び３２を有する２軸ヒンジからなり、各回転軸３１，３２について、表示筐体１０及び操作筐体２０を回転可能に連結している。第１の回転軸３１は、操作筐体２０の主面に平行な回転軸であり、この回転軸３１を中心として表示筐体１０を回転させることにより両筐体１０，２０を開閉動作させることができる。また、第２の回転軸３２は、第１の回転軸３１に直交し、かつ、操作筐体２０の主面に平行な回転軸であり、この回転軸３２を中心として表示筐体１０を回転させることにより両筐体１０，２０の向きを異ならせることができる。
【００２３】
図２は、図１の携帯電話機の内部構成について要部を示した概略図である。表示筐体１０の内部には、画面表示を行うための画面表示装置４１が収納されている。この画面表示装置４１は、表示画面１１を形成する液晶表示パネルやＬＣＤコントローラなどが含まれている。一方、操作筐体２０の内部には、携帯電話機全体の主たる制御を行っている主制御装置４０が収納されている。この主制御装置４０は、プリント基板上に形成されたマイクロプロセッサ及びその周辺回路からなり、当該マイクロプロセッサが画面表示装置４１の表示制御も行っている。
【００２４】
主制御装置４０及び画面表示装置４１は、複数の信号線からなる伝送路４２により接続され、画面表示を制御するための制御データが、主制御装置４０から画面表示装置４１へ伝送される。すなわち、伝送路４２は可動連結部３０の内部に配置され、主制御装置４０及び画面表示装置４１を電気的に接続している。ここで、筐体１０，２０の回転動作によって損傷を受けないように、伝送路４２は、各回転軸３１，３２を中心として巻回させながら、可動連結部３０内を貫通している。
【００２５】
図３は、図２の主制御装置４０、画面表示装置４１及び伝送路４２の構成例を示した図である。主制御装置４０は、マイクロプロセッサ５０、ラインバッファ５１、送信バッファ５２，５３及び電源制御部５４により構成される。また、画面表示装置４１は、ＬＣＤ（Liquid Crystal Display）コントローラ５５及びＬＣＤパネル５６により構成される。
【００２６】
マイクロプロセッサ５０は、画面表示装置４１による表示動作を制御するための制御データ（ＤＴｐ）を生成し、ラインバッファ５１へ出力している。この制御データＤＴｐは、例えば８ビット幅からなるパラレルデータであり、ラインバッファ５１は、この制御データをシリアルデータ（ＤＴｓ）に変換し、送信バッファ５２へ出力するシリアル変換手段である。送信バッファ５２は、画面表示装置４１に対し、制御データを送出するための出力増幅器であり、シリアル変換後の制御データを高速に伝送させるため、ＬＶＤＳ（Low Voltage Differential Signal：低電圧差動信号）として２本の信号線（対線）からなる伝送路４２へ送出している。
【００２７】
また、マイクロプロセッサ５０は、画面表示装置４１において上記制御データを取り込むためのタイミングを与えるストローブ信号（ＳＴＢ）を生成し、送信バッファ５３へ出力している。送信バッファ５３は、画面表示装置４１に対しストローブ信号を送出するための出力増幅器であり、ストローブ信号を高速に伝送させるため、ＬＶＤＳとして２本の信号線（対線）からなる伝送路４２へ出力している。
【００２８】
さらに、マイクロプロセッサ５０は、制御データの伝送期間を示す伝送イネーブル信号を生成している。ここでは、伝送イネーブル信号として、送信側電源制御信号（ＰＳｔ）、受信側電源制御信号（ＰＳｒ）及びバッファイネーブル信号（ＢＥＮ）を生成している。送信側電源制御信号ＰＳｔは、送信バッファ５２，５３への電源供給を行っている主制御装置４０内の電源制御部５４へ入力される。電源制御部５４による電源供給は、送信側電源制御信号ＰＳｔに基づいて行われ、制御データの非伝送期間中は、送信バッファ５２，５３への電源供給が遮断される。一方、受信側電源制御信号ＰＳｒ及びバッファイネーブル信号ＢＥＮは、画面表示装置４１へ出力される。これらの信号ＰＳｒ，ＢＥＮは、制御データＤＴｓ及びストローブ信号ＳＴＢのように高速伝送する必要がないことから、通常の送信バッファ（不図示）を介して、それぞれ１本の伝送線へ出力される。
【００２９】
主制御装置４０から画面表示装置４１へ送出された上記信号は、いずれもＬＣＤコントローラ５５へ入力される。ＬＣＤコントローラ５５は、これらの信号に基づいて主制御装置４０からの制御データを受信し、ＬＣＤパネル５６の動作制御を行っている。
【００３０】
図４は、図３のＬＣＤコントローラ５５の詳細構成例を示した図である。受信バッファ６０，６１は、主制御装置４０から伝送路４２を介して伝送された差動信号が入力される入力増幅器である。受信バッファ６０は、送信バッファ５２から送出された制御データＤＴｓを受信し、シフトレジスタ６５へ出力している。受信バッファ６１は、送信バッファ５３から送出されたストローブ信号ＳＴＢを受信し、論理積演算回路（アンド回路）６４へ出力している。
【００３１】
受信側電源制御信号ＰＳｒは、電源制御部６２に入力される。電源制御部６２は、受信バッファ６０，６１への電源供給を制御しており、主制御装置４０から受信した受信側電源制御信号ＰＳｒに基づいて、制御データの非伝送期間中は、受信バッファ６０，６１への電源供給を遮断している。
【００３２】
バッファイネーブル信号ＢＥＮは、受信バッファ６０及びタイマー回路６３に入力される。受信バッファ６０は、バッファイネーブル信号がアクティブ状態の場合に活性化され、受信データをシフトレジスタ６５へ出力する一方、非アクティブ状態の場合には、出力端子が高インピーダンス状態となる。また、タイマー回路６３は、バッファイネーブル信号ＢＥＮを予め定められた遅延時間Ｔｄだけ遅延させる遅延手段であり、この遅延信号は、受信イネーブル信号ＲＥＮとしてアンド回路６４へ出力される。
【００３３】
アンド回路６４は、受信イネーブル信号ＲＥＮがアクティブ状態である期間中は、受信バッファ６１から出力されるストローブ信号ＳＴＢをシフトレジスタへ出力し、その他の期間は出力しない。つまり、タイマー回路６３で遅延させたバッファイネーブル信号ＢＥＮに基づいて、ストローブ信号ＳＴＢをマスクしているマスク手段である。
【００３４】
シフトレジスタ６５は、アンド回路６４からのストローブ信号ＳＴＢに基づいて、受信バッファ６０からの出力データＤＴｓを１ビットごとに取り込んでいる。所定ビット数の制御データがシフトレジスタ６５に取り込まれると、これらのデータは、ＦＩＦＯ（First In First Out）バッファ６６へ出力される。つまりシリアルデータとして受信された制御データは、シフトレジスタ６５においてパラレルデータに変換され、ＦＩＦＯバッファ６６に格納される。
【００３５】
画像処理部６７は、ＦＩＦＯバッファ６６に蓄積された受信データに基づいてＶＲＡＭ（Video Random Access Memory）６８の更新を行っている。ＶＲＡＭ６８は、ＬＣＤパネル５６に表示される画像データが格納されるメモリである。主制御装置４０は、ＬＣＤパネル５６のフレーム周期ごとに、フレーム間で更新される部分に関する画像データ及び制御コードを制御データとして送出し、これらのデータが、ＦＩＦＯバッファ６６に蓄積される。画像処理部６７は、ＦＩＦＯバッファ６６の画像データについて拡大縮小などの所定の画像処理を行って、ＶＲＡＭ６８に格納する。ＶＲＡＭ６８の画像データは、フレーム周期で読み出され、ＬＣＤパネル５６に表示される。
【００３６】
なお、制御データが、受信バッファ６０からシフトレジスタ６５へ直接入力されるのに対し、ストローブ信号は、アンド回路６４を介して、受信バッファ６１からシフトレジスタ６５へ入力される。このため、シフトレジスタ６５に入力される制御データ及びストローブ信号に位相のずれが生じているので、受信バッファ６０及びシフトレジスタ６５間にもアンド回路６４に相当する遅延回路を設けておくことが望ましい。例えば、受信バッファ６０及びシフトレジスタ６５間にもアンド回路を設け、受信イネーブル信号ＲＥＮにより制御データもマスクしておけばよい。
【００３７】
図５は、送信バッファ５２，５３、伝送路４２及び受信バッファ６０，６１からなる送受信手段についてより具体的な構成例を示した図である。送信バッファ５２，５３は、電流源１００、ブリッジ回路１０１及び反転論理演算回路（インバータ）１０２により構成される。ブリッジ回路１０１は、スイッチング素子１１０及び１１１の直列回路、並びに、スイッチング素子１１２及び１１３の直列回路からなる。これらのスイッチング素子１１０〜１１３には半導体素子が用いられ、上記直列回路は、上記半導体素子の主回路が直列に接続され、これらの接続点が出力端子として２本の伝送路４２にそれぞれ接続されている。また、これらの直列回路は、ともに電流源１００及び接地点間に並列に接続されている。
【００３８】
電流源１００側のスイッチング素子１１０及び接地点側のスイッチング素子１１３の制御端子には、送信信号（ＳＴＢ，ＤＴｓ）が入力され、残るスイッチング素子１１１，１１２の制御端子には、インバータ１０２において反転させた送信信号が入力されている。すなわち、スイッチング素子１１０及び１１３が同時にオンされる状態と、スイッチング素子１１１及び１１２が同時にオンされる状態が、入力信号の電圧レベルによって切り替えられる。従って、２本の伝送路４２は、送信信号に応じて、いずれか一方が電流源１００に、他方が接地点に接続され、極性を反転させることができる。
【００３９】
受信バッファ６０，６１は、終端抵抗１０３及び差動増幅器１０４により構成される。差動増幅器１０４の入力インピーダンスは、終端抵抗１０３に比べて高く、電流源から供給された電流の大部分が終端抵抗１０３を流れ、差動増幅器１０４の入力端子間に電位差を生じさせる。
【００４０】
一般に、ＬＶＤＳ方式では、終端抵抗１０３の端子間電圧が１Ｖ未満の低電圧（例えば３５０ｍＶ）となっている。この電圧レベルは、他の伝送信号ＰＳｒ，ＢＥＮや主制御装置４０や画面表示装置４１内の信号レベルよりも低い。この様にして、送信信号のスイング幅を小さくすることにより伝送速度を向上させることができる。ところが、低電圧化にともなって耐ノイズ特性が低下することから、伝送路４２として２本の対線を使用し、差動信号としてデータ伝送を行って、耐ノイズ性を向上させている。つまり、２本の伝送線に同相ノイズが混入したとしても、その影響は終端抵抗１０３の端子間電圧には現われず、耐ノイズ特性が改善される。
【００４１】
さらに、データ伝送を行わない場合には、バッファイネーブル信号ＢＥＮに基づいてストローブ信号ＳＴＢをマスクし、データ受信を行わないようにしている。バッファイネーブル信号ＢＥＮは高速伝送する必要はなく、通常の電圧レベル（少なくともＬＶＤＳ方式で伝送される制御データの場合よりも高い電圧レベル）で伝送されるため、ノイズによる影響を受けにくい。主制御装置４０が、非伝送期間中はバッファイネーブル信号を非アクティブ状態とするため、アンド回路６４によりストローブ信号ＳＴＢはマスクされる。このため、非伝送期間中に誤ってデータ受信が行われることはなく、耐ノイズをさらに向上させることができる。
【００４２】
上述した通り、主制御装置４０は、画面表示装置４１に対し、フレーム間で変動する表示部分に関するデータをフレーム周期ごとに送信している。このため、画面全体が変更される場合には、フレーム周期内に、主制御装置４０から画面表示装置４１へ伝送されるデータ量は多くなる。これに対し、画面の一部のみが変更される場合には、伝送すべきデータ量は比較的少なくなり、フレーム期間内において比較的長い非伝送期間が生じる。主制御装置４０は、この非伝送期間中にバッファイネーブル信号ＢＥＮを非アクティブ状態とし、また、送信側電源制御信号ＰＳｔ及び受信側電源制御信号ＰＳｒを電源オフ状態とする。
【００４３】
図６のステップＳ１０１〜Ｓ１０５は、データ送信開始時における主制御装置４０及び画面表示装置４１の動作の一例を示したフローチャートである。また、図７は、データ送信開始時における主要な信号波形を示したタイミングチャートである。非伝送期間中、バッファイネーブル信号ＢＥＮは非アクティブ状態であり、送信側電源制御信号ＰＳｔ及び受信側電源制御信号ＰＳｒは電源オフ状態となっている。つまり、送信バッファ５２，５３及び受信バッファ６０，６１は、ともに電源供給されておらず、消費電力が抑制されている。
【００４４】
この状態からデータ伝送を開始する場合、マイクロプロセッサ５０は受信側電源制御信号ＰＳｒを電源オン状態に変更する（ステップＳ１０１）。この受信側電源制御信号ＰＳｒに基づいて、電源制御部６２が電源供給を開始し、受信バッファ６０，６１が起動される。この受信バッファ６０，６１の起動時にノイズが発生し、当該ノイズに起因する信号が、受信バッファ６０から出力される（図７のＮ１）。
【００４５】
次に、マイクロプロセッサ５０は送信側電源制御信号ＰＳｔを電源オン状態に変更する（ステップＳ１０２）。この送信側電源制御信号ＰＳｔに基づいて、主制御装置４０内の電源制御部５４が電源供給を開始し、送信バッファ５２，５３が起動される。この送信バッファ５２，５３の起動時に発生したノイズが、伝送路４２を伝搬し、受信バッファ６０，６１へ入力される。このため、当該ノイズに起因する信号が、受信バッファ６０，６１から出力される（図７のＮ２）。
【００４６】
受信バッファ６０，６１及び送信バッファ５２，５３への電源供給を開始した後、マイクロプロセッサ５０は、バッファイネーブル信号ＢＥＮがアクティブ状態に変更する（ステップＳ１０３）。このバッファイネーブル信号ＢＥＮに基づいて、受信バッファ６０が活性化され、受信データの出力が開始される（ステップＳ１０３）。このとき、受信バッファ６０からノイズが発生し、当該ノイズに起因する信号が、受信バッファ６０から出力される（図７のＮ３）。
【００４７】
タイマー回路６３は、バッファイネーブル信号ＢＥＮを予め定められた遅延時間Ｔｄだけ遅延させ、受信イネーブル信号ＲＥＮとして、アンド回路６４へ送出する。つまり、受信イネーブル信号ＲＥＮは、バッファイネーブル信号ＢＥＮよりも遅延時間Ｔｄだけ遅れてアクティブ化され、受信バッファ６１からの出力信号が、シフトレジスタ６５へ入力される。
【００４８】
マイクロプロセッサ５０は、バッファイネーブル信号ＢＥＮをアクティブ状態に変更した後、さらに、受信バッファ６０が安定するのに十分なウォーミングアップ時間Ｔｓｕが経過すると、制御データＤＴｐ及びストローブ信号ＳＴＢの出力を開始する（ステップＳ１０５）。そして、シリアル変換された制御データＤＴｓ及びストローブ信号ＳＴＢが、送信バッファ５２，５３から送出され、受信バッファ６０，６１で受信され、シフトレジスタ６５に格納される。
【００４９】
タイマー回路６３による遅延時間Ｔｄは、バッファイネーブル信号ＢＥＮのアクティブ化に伴うノイズ（図７のＮ３）の発生期間よりも長く、上記ウォーミングアップ時間Ｔｓｕよりも短い。このため、タイマー回路６３は、上記の各ノイズＮ１〜Ｎ３の終了後であって、最初の制御データを受信する前に、受信イネーブル信号ＲＥＮをアクティブ化している。アンド回路６３は、この受信イネーブル信号ＲＥＮに基づいて、受信バッファ６１から出力されるストローブ信号ＳＴＢをマスクしているため、シフトレジスタ６５に入力されるストローブ信号に、ノイズＮ１〜Ｎ３が混入することはない。また、データ伝送開始前の非伝送期間におけるノイズの影響を受けることもない。従って、伝送路４２へのノイズの混入によって、シフトレジスタ６５に誤ったデータが格納されるのを抑制することができる。
【００５０】
本実施の形態によれば、携帯電話機内の主制御装置４０及び画面表示装置４１間における制御データの伝送にＬＶＤＳ方式を採用することにより、伝送速度及び耐ノイズ特性の低下を抑制しつつ、伝送線の数を削減することができる。従って、筐体設計の自由度を高めるとともに、組み立てを容易にすることができる。特に、２軸ヒンジを有するような複雑な動作が可能な携帯電話機に好適である。
【００５１】
また、本実施の形態によれば、フレーム周期ごとに送受信バッファへの電源供給を遮断することにより、データ非伝送期間における消費電力を抑制している。さらに、バッファイネーブル信号ＢＥＮをタイマー回路６３により遅延させた受信イネーブル信号ＲＥＮに基づいて、ストローブ信号をＳＴＢをマスクすることにより、データ伝送開始時のノイズ混入による影響を防止している。
【００５２】
なお、本実施の形態では、携帯電話機の場合の例について説明したが、本発明は、この様な場合に限定されない。例えば、ノートパソコン、ＰＤＡ、その他の携帯情報端末にも適用することができる。
【００５３】
また、本実施の形態では、クラムシェル型の携帯電話機に適用した場合の例について説明したが、本発明は、この様な場合に限定されない。すなわち、回転動作を伴わない筐体からなる携帯情報端末についても本発明を適用することができる。
【００５４】
図８は、本実施の形態による携帯情報端末の他の構成例を示した図である。この図は、概ね矩形の１つの薄型筐体からなり、クラムシェル型の様に回転動作などの筐体変形を行わないストレート型の携帯電話機への適用例が示されており、図中の（ａ）には概観が、（ｂ）には内部構成例が示されている。この筐体内に、主制御装置４０及び画面表示装置４１が内蔵され、主制御装置４０から画面表示装置４１への制御データの伝送は、実施の形態１の場合と同様に指定行われている。このため、配線数の減少、消費電力の低減、ノイズによる影響の抑制などの上記効果が得られる。
【図面の簡単な説明】
【００５５】
【図１】本発明による携帯情報端末の一構成例を示した外観図であり、携帯情報端末の一例として携帯電話機が示されている。
【図２】図１の携帯電話機の内部構成について要部を示した概略図である。
【図３】図２の主制御装置４０、画面表示装置４１及び伝送路４２の構成例を示した図である。
【図４】図３のＬＣＤコントローラ５５の詳細構成例を示した図である。
【図５】送信バッファ５２，５３、伝送路４２及び受信バッファ６０，６１からなる送受信手段についてより具体的な構成例を示した図である。
【図６】データ送信開始時における主制御装置４０及び画面表示装置４１の動作の一例を示したフローチャートである。
【図７】データ送信開始時における主要な信号波形を示したタイミングチャートである。
【図８】本実施の形態による携帯情報端末の他の構成例を示した図である。
【符号の説明】
【００５６】
１０  表示筐体
２０  操作筐体
３０  可動連結部
３１，３２  回転軸
４０  主制御装置
４１  画面表示装置
４２  伝送路
５２，５３  送信バッファ
５４  電源制御部
５５  ＬＣＤコントローラ
６０，６１  受信バッファ
６２  電源制御部
６３  タイマー回路
６４  アンド回路
ＤＴｐ  制御データ（パラレルデータ）
ＤＴｓ  制御データ（シリアルデータ）
ＳＴＢ  ストローブ信号
ＰＳｒ  受信側電源制御信号
ＰＳｔ  送信側電源制御信号
ＢＥＮ  バッファイネーブル信号
ＲＥＮ  受信イネーブル信号
Ｔｄ  遅延時間
Ｔｓｕ  ウォーミングアップ時間
【図１】
2005354456.tif 000003
【図２】
2005354456.tif 000004
【図３】
2005354456.tif 000005
【図４】
2005354456.tif 000006
【図５】
2005354456.tif 000007
【図６】
2005354456.tif 000008
【図７】
2005354456.tif 000009
【図８】
2005354456.tif 000010